(57)【要約】【課題】表示機能を備える携帯型の心電計であって、その表示を視認しやすい心電計および心電計における表示方法を提供する。【解決手段】心電計１を用いて心電波形を測定する際、負電極１４を含む把持部分を把持して保持し、正電極１６を含む接触部を被験者の右手以外の電極接触部位に押し当てる姿勢をとる。心電計１では、測定中に心電波形などの測定結果が表示部１０に表示される。測定方法は、正電極１６を含む接触部を被験者の左手に押し当てる第Ｉ誘導と言われる測定方法と、正電極１６を含む接触部を被験者の左下腹部に押し当てる第ＩＩ誘導と言われる測定方法とが挙げられる。第Ｉ誘導で測定する際には表示部１０に横方向に測定結果を表示し、第ＩＩ誘導で測定する際には表示部１０に縦方向に測定結果を表示する。【選択図】        図１
2005000468.tif 000002
【特許請求の範囲】
【請求項１】
被験者の身体に接触して前記被験者の心電波形を測定する、少なくとも１対の誘導電極と、
情報を表示する表示装置とを含み、
前記表示装置で表示する情報の表示方向を制御する制御手段を備える、心電計。
【請求項２】
前記表示装置で表示する情報は、前記測定の操作をガイドするためのガイド表示であって、
前記制御手段は、前記測定時の前記被験者の測定姿勢に応じて前記表示方向を制御する、請求項１に記載の心電計。
【請求項３】
前記表示装置で表示する情報は、前記測定時における測定された前記被験者の心電波形であって、
前記制御手段は、前記被験者の測定姿勢に応じて前記表示方向を制御する、請求項１または２に記載の心電計。
【請求項４】
前記表示装置で表示する情報は、前記測定時における測定された前記被験者の心電波形であって、
前記制御手段は、測定者と前記被験者との位置関係に応じて前記表示方向を制御する、請求項１または２に記載の心電計。
【請求項５】
前記表示方向を設定する設定手段をさらに備え、
前記制御手段は、前記表示装置で表示する情報の表示方向を前記設定された表示方向とするよう制御する、請求項１に記載の心電計。
【請求項６】
前記制御手段は、前記測定時の前記表示装置での表示方向と、前記測定時以外のときの前記表示装置での表示方向とを、異なる方向とするよう制御する、請求項１に記載の心電計。
【請求項７】
前記１対の誘導電極は、各々、細長形状の筐体の長手方向の略両端に備えられ、
前記表示装置は前記筐体の表面に備えられ、
前記表示方向は、少なくとも前記長手方向と、前記長手方向に直交する方向とである、請求項１に記載の心電計。
【請求項８】
被験者の身体に接触して前記被験者の心電波形を測定する少なくとも１対の誘導電極と、情報を表示する表示装置とを含む心電計の、前記表示装置における表示方法であって、
前記測定時の前記被験者の測定姿勢を取得する取得ステップと、
前記表示装置で表示する情報の表示方向を、前記測定姿勢に応じて制御する制御ステップとを備える、心電計における表示方法。
【請求項９】
被験者の身体に接触して前記被験者の心電波形を測定する、少なくとも１対の誘導電極と、情報を表示する表示装置とを含む心電計の、前記表示装置における表示方法であって、
前記心電計で前記測定を行なうか否かを判定する判定ステップと、
前記測定時の前記表示装置での表示方向と、前記測定時以外のときの前記表示装置での表示方向とを、異なる方向とするよう制御する制御ステップとを備える、心電計における表示方法。
【発明の詳細な説明】
【０００１】
【発明の属する技術分野】
この発明は心電計および心電計における表示方法に関し、特に、表示機能を備える携帯型の心電計において、その表示を視認しやすい心電計および心電計における表示方法に関する。
【０００２】
【従来の技術】
心筋梗塞、狭心症、虚血性心疾患などの心疾患に対する有効な診断方法として心電図を用いる方法が挙げられる。このような心疾患をより有効に診断するためには、日常生活における胸部の痛みや動悸などの異常発生時の心電図を用いることが早期発見、適切な治療につながり好ましい。そのため、従来より、心電波形の計測にいわゆる２４時間心電計と言われる心電計が用いられる場合があり、２４時間装着している誘導電極から得られる心電波形を記録装置に記憶する、などの手法が採り入れられている。
【０００３】
しかしながら、このような２４時間心電計を用いる心電波形の測定は、被験者の負担が大きく、また、その２４時間に上述の異常が発生しない場合もある。そこで、近年では、被験者の負担を軽くし、確実に異常時の心電波形を測定するために、携帯型の心電計も提案されており、上記異常が発生したときの心電波形を測定することを可能にしている。
【０００４】
このような昨今の心電計は、特許文献１にも示されるように、心電計本体に表示部を備え、その場で測定結果を確認することができる。
【０００５】
【特許文献１】
特公平１−５０２０８７号公報
【０００６】
【発明が解決しようとする課題】
しかしながら、このような心電計本体の一方の誘導電極を含む把持部分を手で保持して、誘導電極を電極接触部位である胸部や腹部などに接触させて心電波形を測定する場合、表示部に表示される測定結果（グラフ）の方向と、測定姿勢をとった状態で被験者がその表示部を視認できる方向とが一致せず、表示が見づらい場合があるという問題がある。また、その表示が見やすいように姿勢を変えて測定姿勢が崩れると、正常に測定できないという問題がある。
【０００７】
本発明はこのような問題に鑑みてなされたものであり、表示機能を備える携帯型の心電計であって、その表示を視認しやすい心電計および心電計における表示方法を提供することを目的とする。
【０００８】
【課題を解決するための手段】
上記目的を達成するために、本発明のある局面に従うと、心電計は、被験者の身体に接触して前記被験者の心電波形を測定する少なくとも１対の誘導電極と、情報を表示する表示装置とを含み、表示装置で表示する情報の表示方向を制御する制御手段を備える。
【０００９】
上述の前記表示装置で表示する情報は、測定の操作をガイドするためのガイド表示であって、制御手段は、測定時の被験者の測定姿勢に応じて表示方向を制御することが好ましい。
【００１０】
また、表示装置で表示する情報は、測定時における測定された被験者の心電波形であって、制御手段は、被験者の測定姿勢に応じて表示方向を制御することが好ましい。
【００１１】
あるいは、表示装置で表示する情報は、測定時における測定された被験者の心電波形であって、制御手段は、測定者と被験者との位置関係に応じて表示方向を制御することが好ましい。
【００１２】
また、心電計は、表示方向を設定する設定手段をさらに備え、制御手段は、表示装置で表示する情報の表示方向を設定された表示方向とするよう制御することが好ましい。
【００１３】
また、制御手段は、測定時の表示装置での表示方向と、測定時以外のときの表示装置での表示方向とを、異なる方向とするよう制御することが好ましい。
【００１４】
また、１対の誘導電極は、各々、細長形状の筐体の長手方向の略両端に備えられ、表示装置は筐体の表面に備えられ、表示方向は、少なくとも長手方向と、長手方向に直交する方向とであることが好ましい。
【００１５】
本発明の他の局面に従うと、心電計における表示方法は、被験者の身体に接触して被験者の心電波形を測定する少なくとも１対の誘導電極と、情報を表示する表示装置とを含む心電計の、表示装置における表示方法であって、測定時の被験者の測定姿勢を取得する取得ステップと、表示装置で表示する情報の表示方向を、測定姿勢に応じて制御する制御ステップとを備える。
【００１６】
本発明のさらに他の局面に従うと、心電計における表示方法は、被験者の身体に接触して被験者の心電波形を測定する、少なくとも１対の誘導電極と、情報を表示する表示装置とを含む心電計の、表示装置における表示方法であって、心電計で測定を行なうか否かを判定する判定ステップと、測定時の表示装置での表示方向と、測定時以外のときの表示装置での表示方向とを、異なる方向とするよう制御する制御ステップとを備える。
【００１７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１８】
本実施の形態における携帯型心電計（以下、心電計と言う）１の外観の具体例を図１〜図４に示す。心電計１の形状は掌におさまる大きさの横長形状であって、図１は、心電計１の表示機能や操作機能を備える面から見た図である。説明上、この面を心電計１の正面として、長手方向を横方向とする。すなわち、図１に示される正面に向かって右を心電計１の右側、正面に向かって左を心電計１の左側とする。図１は心電計１の正面図であり、図２は心電計１の上面図であり、図３は心電計１の左側面図であり、図４は心電計１の右側面図である。
【００１９】
図１を参照して、心電計１は、その正面左寄りの位置に、測定結果やガイド情報を表示する表示部１０を備え、その右側に、各種設定を行なうために用いる設定スイッチ１１と、測定結果を表示部１０に表示させるために用いる表示スイッチ１２と、測定結果のグラフやガイド情報など、表示部１０に表示される情報をスクロールして表示させるためのスクロールスイッチ１３とを備える。さらに、正面の右側に、その縦辺に相当する範囲の負電極１４を備え、負電極１４上には、突起１５が備えられる。
【００２０】
また、図１〜図３を参照して、その正面左側の縦辺に相当する範囲に、正面から左側面をまたいで背面にかけて、正電極１６を備える。
【００２１】
さらに図２を参照して、その上面右寄りであって、負電極１４より左寄りの位置に、測定を開始するための測定スイッチ１７と、その左隣の位置に電源スイッチ１８とを備える。また、その背面の負電極１４に対応する位置付近であって、その縦辺に相当する範囲に不関電極である中性電極１９を備える。負電極１４と中性電極１９とを含む心電計１の右端部分で、当該心電計１を右手で保持するための把持部分を構成する。また、正電極１６を含む心電計１の左端部分で、当該心電計１を被験者の電極接触部位に押し当てるための接触部を構成する。
【００２２】
より具体的には、設定スイッチ１１と、表示スイッチ１２と、スクロールスイッチ１３とは、負電極１４と中性電極１９とを含む把持部分を右手で把持した状態で、右手の親指で操作できる位置に備えられる。また、  測定スイッチ１７と電源スイッチ１８とは、負電極１４と中性電極１９とを含む把持部分を右手で把持した状態で、右手の人差指で操作できる位置に備えられる。また、突起１５は、被験者が負電極１４と中性電極１９とを含む把持部分を右手で把持した際に掌が滑らないように設けられるものであって、負電極１４を被験者の右手に確実に接触させることを目的とするものである。
【００２３】
本実施の形態にかかる心電計１を用いて被験者が自らの心電波形を測定する場合の測定姿勢の具体例を図５に示す。すなわち、図５を参照して、被験者は、その右手で、心電計１の負電極１４と中性電極１９とを含む把持部分を把持して心電計１を保持し、正電極１６を含む接触部を被験者の右手以外の電極接触部位に押し当てる姿勢で心電波形の測定を行なう。このようにすることで、正電極１６の接する電極接触部位から心臓を通過して負電極１４の接する右手に到達する回路を構成し、被験者の心筋の活動時に発生する電気的興奮に伴う活動電位（心電波形）を、誘導電極である正電極１６と負電極１４との電位差で測定する。なお、図５に示される測定姿勢での測定方法は代表的な測定方法を表わしており、負電極１４を右手に接触させ、正電極１６を第５肋間前腋窩線縁上の皮膚に接触させて測定する方法を示している。
【００２４】
図６に、本実施の形態にかかる心電計１の機能構成をブロック図で示す。図６を参照して、心電計１は、ＣＰＵ（Ｃｅｎｔｒａｌ  Ｐｒｏｃｅｓｓｉｎｇ  Ｕｎｉｔ）１０１と、正電極１６と負電極１４とを含んで構成される電極部１０２と、アンプ（ＡＭＰ）１０３と、スイッチ１１〜１３，１７，１８などを含んで構成される操作入力部１０４と、表示部１０を含んで構成されるＬＣＤ（Ｌｉｑｕｉｄ  Ｃｒｙｓｔａｌ  Ｄｉｓｐｌａｙ）１０５と、ＣＰＵ１０１で実行されるプログラムや測定データなどを格納するメモリ１０６と、通信Ｉ／Ｆ（インタフェース）１０７と、電源部１０８と、タイマ１０９とを含んで構成される。
【００２５】
電源部１０８は心電計１に電力を供給している。
心電計１が起動すると、ＣＰＵ１０１は、操作入力部１０４から入力されたスイッチ信号に応じてメモリ１０６に格納されているプログラムを読出して実行し、制御信号を心電計１の各部に出力することで全体制御を実行する。
【００２６】
すなわち、心電計１が起動すると、ＣＰＵ１０１はメモリ１０６に予め格納されているガイド画面情報を読出し、その情報をＬＣＤ１０５に出力する。ＬＣＤ１０５は、ＣＰＵ１０１から入力されたガイド画面を出力する。これによって、表示部１０にガイド画面が表示される。
【００２７】
また、ＣＰＵ１０１は、操作入力部１０４から設定スイッチ１１が押されたことを示すスイッチ信号を受取ると、メモリ１０６に予め格納されている設定画面情報を読出し、その情報をＬＣＤ１０５に出力する。ＬＣＤ１０５は、ＣＰＵ１０１から入力された設定画面を出力する。これによって、表示部１０に設定画面が表示される。さらにその状態で操作入力部１０４からスクロールスイッチ１３が押されたことを示すスイッチ信号を受取ると、そのスクロールスイッチ１３に該当する設定をメモリ１０６の所定領域に格納する。
【００２８】
また、ＣＰＵ１０１は、操作入力部１０４から表示スイッチ１２が押されたことを示すスイッチ信号を受取ると、メモリ１０６に格納されている測定結果を読出しＬＣＤ１０５に出力する。また、図示しない送信スイッチなどでデータの送信を指示された場合、ＣＰＵ１０１は、操作入力部１０４からその旨を示すスイッチ信号を受取ると、メモリ１０６に格納されている測定結果を読出し通信Ｉ／Ｆ１０７を介して外部装置に対して出力する。通信Ｉ／Ｆ１０７は、シリアル通信を行なうためのインタフェースであって、ＵＳＢ（Ｕｎｉｖｅｒｓａｌ  Ｓｅｒｉａｌ  Ｂｕｓ）などによるケーブルを接続して通信を行なうインタフェースである。
【００２９】
また、ＣＰＵ１０１は、操作入力部１０４から  測定スイッチ１７が押されたことを示すスイッチ信号を受取ると、電極部１０２に測定の開始を指示する制御信号を出力する。また、タイマ１０９に計時の開始を指示する制御信号を出力する。
【００３０】
電極部１０２は、ＣＰＵ１０１から制御信号を受取ると、正電極１６と負電極１４との電位差を検出し、検出した電位差を示す電極信号をＡＭＰ１０３に出力する。ＡＭＰ１０３は、電極部１０２から入力された電極信号を所定の振幅まで増幅する。また、入力された電極信号からノイズを除去する。そして、処理後の電極信号をＣＰＵ１０１に出力する。
【００３１】
ＣＰＵ１０１は、ＡＭＰ１０３から入力された電極信号をメモリ１０６の所定領域に格納する。また、ＣＰＵ１０１は、ＡＭＰ１０３から入力された電極信号に対して表示するための処理を施こして心電波形を含む測定結果画面を生成し、ＬＣＤ１０５に出力する。ＬＣＤ１０５は、ＣＰＵ１０１から入力された測定結果画面を出力する。これによって、表示部１０に心電波形を含む測定結果画面が表示される。
【００３２】
また、ＣＰＵ１０１は、ＡＭＰ１０３から入力された電極信号を解析し、解析結果に応じたメッセージを表示部１０に表示させるためにメッセージ情報をＬＣＤ１０５に出力する。たとえば、ＡＭＰ１０３から入力された電極信号としきい値とを比較して、電極信号がしきい値より規定以上乖離している場合に、その旨を示すメッセージを表示部１０に表示させる、などを行なってもよい。
【００３３】
ＣＰＵ１０１は、タイマ１０９での計時に基づいて規定時間が経過するまで電極部１０２における測定を実行し、その測定結果を表示部１０にリアルタイムに表示する。
【００３４】
次に、心電計１における処理について図７のフローチャートを用いて説明する。図７のフローチャートに示される処理は、電源スイッチ１８が押されて心電計１の電源がＯＮされたときに実行される処理であって、心電計１のＣＰＵ１０１がメモリ１０６に格納されているプログラムを読出して実行し、図６に示される各部を制御することで実現される。
【００３５】
図７を参照して、始めに、心電計１の電源がＯＮされると、ＣＰＵ１０１はメモリ１０６に格納されている、心電計１での操作一般をガイドするための操作ガイド情報を読出してＬＣＤ１０５に出力し、表示部１０に表示させる（Ｓ１０１）。その操作ガイドの表示にしたがってユーザがいずれかのスイッチを押すと、そのスイッチに応じたスイッチ信号が操作入力部１０４からＣＰＵ１０１に出力される。ＣＰＵ１０１は、操作入力部１０４から入力されるスイッチ信号に基づいて、どのスイッチが押されたのかを判定する（Ｓ１０３）。
【００３６】
ステップＳ１０３で測定スイッチ１７が押された場合（Ｓ１０３で「測定スイッチ」）、ＣＰＵ１０１はメモリ１０６から、測定操作をガイドするための測定ガイド情報を読出してＬＣＤ１０５に出力し、表示部１０に表示させる（Ｓ１０５）。そして、ＣＰＵ１０１は、被験者がその測定ガイドに沿って右手と電極接触部位とに各々負電極１４と正電極１６とを正しく接触させたことを確認して、電極部１０２での心電波形の測定を開始する（Ｓ１０７）。ＣＰＵ１０１は、ＡＭＰ１０３を介して電極部１０２から受取った電極信号に測定結果を得るための処理を施し、測定結果をメモリ１０６の所定領域に格納する。また、測定結果をＬＣＤ１０５に出力し、表示部１０に表示させる（Ｓ１０９）。ステップＳ１０９では、測定中に、リアルタイムで心電波形を表示する。
【００３７】
ＣＰＵ１０１は、上述のステップＳ１０７，Ｓ１０９の処理を規定時間実行し、規定時間、心電波形を測定する。そして、タイマ１０９を参照して規定時間経過したことを確認すると（Ｓ１１１でＹＥＳ）、得られた測定結果を解析処理する（Ｓ１１３）。ステップＳ１１３では、拍動ごとの心拍数を算出し、その心拍数の変動をグラフ表示（Ｒ−Ｒグラフ）する、などを行なうことが好ましい。また、測定波形に基づいたコメントをメモリ１０６の所定領域から読出して表示部１０に表示することも好ましい。その後、心電計１での処理を終了して電源ＯＦＦ状態とする。
【００３８】
なお、ステップＳ１１３での処理の後、ＣＰＵ１０１は再び処理をステップＳ１０１に戻してもよい。
【００３９】
ステップＳ１０３で表示スイッチ１２が押された場合（Ｓ１０３で「表示スイッチ」）、ＣＰＵ１０１はメモリ１０６の所定領域から測定結果情報を読出してＬＣＤ１０５に出力し、表示部１０に表示させる（Ｓ１１５）。そして、その表示が終了すると、心電計１での処理を終了して電源ＯＦＦ状態とする。
【００４０】
ステップＳ１０３で設定スイッチ１１が押された場合（Ｓ１０３で「設定スイッチ」）、ＣＰＵ１０１はメモリ１０６の所定領域から設定画面情報を読出してＬＣＤ１０５に出力し、表示部１０に図示しない設定画面を表示させる。設定画面には、心電計１で行なう処理として測定処理を実行させるための測定ボタンと、以前の測定結果を表示させるための表示ボタンと、電源をＯＦＦさせるための電源ＯＦＦボタンとが含まれており、スクロールスイッチ１３を用いて設定することができる。
【００４１】
設定画面において測定ボタンが選択されると（Ｓ１１７で「測定」）、ＣＰＵ１０１は処理をステップＳ１０５へ移行し、ステップＳ１０５〜Ｓ１１３の一連の心電波形測定処理を実行する。また、設定画面において表示ボタンが選択されると（Ｓ１１７で「表示」）、ＣＰＵ１０１は処理をステップＳ１１５へ移行し、測定結果を表示部１０に表示させる。また、設定画面において電源ＯＦＦボタンが選択されると（Ｓ１１７で「電源ＯＦＦ」）、ＣＰＵ１０１は心電計１での処理を終了して電源ＯＦＦ状態とする。
【００４２】
なお、ステップＳ１１３での処理の後、またはステップＳ１１５での処理の後、ＣＰＵ１０１は電源スイッチ１８が押されたことを検知して電源ＯＦＦ状態としてもよい。また、設定スイッチ１１、表示スイッチ１２、または測定スイッチ１７を押されたことを検知して、各々のスイッチに対応したステップＳ１１７、ステップＳ１１５、またはステップＳ１０５に処理を移行してもよい。
【００４３】
ところで、心電計１を用いた心電波形測定時の測定姿勢として、図５に示された測定姿勢のほか、図８に示されるように、被験者が右手で心電計１の負電極１４と中性電極１９とを含む把持部分を把持して心電計１を保持し、正電極１６を含む接触部を被験者の左手に押し当てる姿勢や、図９に示されるように、被験者が右手で心電計１の負電極１４と中性電極１９とを含む把持部分を把持して心電計１を保持し、正電極１６を含む接触部を被験者の左下腹部に押し当てる姿勢がある。一般的に、図８に示されるような、負電極を右手に、正電極を左手に接触させる誘導電極の接触のさせ方を第Ｉ誘導、図９に示されるような、負電極を右手に、正電極を左足に替えて左下腹部に接触させる誘導電極の接触のさせ方を第ＩＩ誘導といい、本発明にかかる心電計では、このような被験者の測定姿勢と対応した測定方法を行なうものとする。
【００４４】
このような測定方法は、使用者が測定を行なうに先だって、設定画面において設定する。具体的には、上述のステップＳ１０３で設定スイッチ１１を押して表示部１０に設定画面を表示させ、設定画面上で測定方法を設定するなどの方法がある。ＣＰＵ１０１は、操作入力部１０４よりスイッチ信号を受取ることでその設定を受取り、メモリ１０６の所定領域に格納する。そして、以降の測定の際には、その設定を自動的にメモリ１０６から読出し、測定方法をデフォルト設定する。
【００４５】
本実施の形態にかかる心電計１では、このような測定方法の違い、つまり被験者の測定姿勢に応じて、ステップＳ１０９での表示部１０における測定結果の表示の方向が、図１０および図１１に示されるように可変であることを特徴とする。なお、ここでは便宜上、心電計１の横方向を横にして正面から表示部１０を見たときに視認される表示の方向を横方向とする。すなわち、図１０に示される表示の方向を「横方向」とし、図１０の表示部１０に示されるグラフは、心電計１の横方向に左から右に読むものとする。また、図１１に示される表示の方向を「縦方向」とし、図１１の表示部１０に示されるグラフは、心電計１の縦方向に上から下に読むものとする。また、表示部１０にグラフと共にメッセージなどの文字が表示される場合にも、図１０または図１１に示される表示の方向に表示されるものとし、その読む方向も上述の通りであるとする。
【００４６】
ステップＳ１０９における表示処理について、図１２のフローチャートを用いて説明する。
【００４７】
図１２を参照して、ステップＳ１０９で測定結果を行なう際、ＣＰＵ１０１はメモリ１０６の所定領域から、測定方法の設定を読出し（Ｓ２０１）、それが第Ｉ誘導であるか第ＩＩ誘導であるかを判定する（Ｓ２０３）。そして、測定方法が第Ｉ誘導である場合には（Ｓ２０３で「第Ｉ誘導」）、測定結果を横方向にしてＬＣＤ１０５に出力し（Ｓ２０５）、表示部１０に横方向に表示させる。また、測定方法が第ＩＩ誘導である場合には（Ｓ２０３で「第ＩＩ誘導」）、測定結果を縦方向にしてＬＣＤ１０５に出力し（Ｓ２０７）、表示部１０に縦方向に表示させる。ステップＳ２０５，Ｓ２０７での表示方向の制御方法は、測定結果の情報を横または縦に表示させるよう生成してＬＣＤ１０５に出力する方法でもよいし、測定結果の情報と共に横または縦に表示させるための表示属性をＬＣＤ１０５に出力する方法でもよい。
【００４８】
このようにすることで、第Ｉ誘導で測定中には表示部１０に図１０に示される横方向で測定結果がリアルタイムに表示され、第ＩＩ誘導で測定中には表示部１０に図１１に示される縦方向で測定結果がリアルタイムに表示される。このため、被験者は、測定中にその測定姿勢を崩すことなく表示部１０に表示される測定結果をリアルタイムに確認することができ、正しい測定結果を得ることができる。
【００４９】
このような表示処理は、上述のステップＳ１０９だけでなく、ステップＳ１０１で操作ガイドを表示する際や、ステップＳ１０５で測定ガイドを表示する際にも行なうことが好ましい。具体的にステップＳ１０５では、ＣＰＵ１０１は設定をメモリ１０６の所定領域から読出し、その設定が第Ｉ誘導である場合には図１３に示される横方向で測定ガイドを表示させ、第ＩＩ誘導である場合には図１４に示される縦方向で測定ガイドを表示させる。このようにすることで、被験者は、表示部１０に表示される測定ガイドを見ながら、自然と測定ガイドが表示される方向を横方向とするように心電計１の方向を変えて電極接触部位に正電極１６を含む接触部を押し当てることができ、正しい測定姿勢をとることができる。
【００５０】
なお、本実施の形態においては、測定姿勢に対応した測定方法（第Ｉ誘導、第ＩＩ誘導）を予め使用者が設定し、その設定にしたがって適切な方向にガイドや測定結果が表示されるような処理を行なうものとしたが、心電計１が測定方法を自動的に検知する機能を備える場合、検知された測定方法に応じた方向にガイドや測定結果が表示されるような処理を行なってもよい。
【００５１】
また、上述の説明では、被験者が自ら心電計１を用いて心電波形を測定する場合について述べたが、測定者が用いて被験者の心電波形を測定する場合に心電計１を用いることもできる。その場合、上述のステップＳ１０９において、測定結果を図１５に示されるように、図１０に示される「横方向」とは１８０度回転させて表示したり、図１６に示されるように図１１に示される「縦方向」とは１８０度回転させて表示したりすることが好ましい。すなわち、心電計１の表示部１０における表示の方向は、「横方向」または「縦方向」に９０度可変なだけでなく、各々の方向に対して１８０度可変、つまり、縦横の４方向に可変であることが好ましい。このように心電計１では、使用者と被験者との位置関係に応じて心電計１の表示部１０における表示の方向が縦横の４方向に可変であってもよい。これは、測定方法と同様に予め使用者が設定し、その設定がメモリ１０６の所定領域に格納されることで、上述の図７と同様の表示処理を行なって実現させることができる。このようにすることで、測定者は、被験者が電極接触部位に正電極１６を含む接触部を押し当てて心電波形の測定を行なっている際に、その被験者の測定姿勢を崩すことなく表示部１０に表示される測定結果をリアルタイムに確認することができ、正しい測定結果を得ることができる。
【００５２】
さらに、心電計１の表示部１０における表示の方向は、９０度刻みの方向に可変であることに限定されず、任意の角度に可変であることがより好ましい。これは、上述の測定方法の設定に替えて、または測定方法の設定と共に、設定画面などにおいて表示方向も予め設定し、その設定がメモリ１０６の所定領域に格納されることで、上述の図７と同様の表示処理を行なって実現させることができる。このようにすることで、被験者は、測定中にその測定姿勢を崩すことなく表示部１０に最も見やすい角度で表示される測定結果を確認することができ、正しい測定結果を得ることができる。また、測定者は、被験者が電極接触部位に正電極１６を含む接触部を押し当てて心電波形の測定を行なっている際に、任意の位置からその被験者の測定姿勢を崩すことなく表示部１０に表示される測定結果を任意の位置から確認することができ、正しい測定結果を得ることができる。
【００５３】
［変形例］
なお、変形例における心電計１が、主に図５または図９に示される測定姿勢で心電波形を測定する方法に用いられるものである場合、変形例における心電計１での表示処理を図７のフローチャートを用いて説明する。すなわち、変形例においては、ステップＳ１０１でＣＰＵ１０１はメモリ１０６に格納されている操作ガイド情報を読出してＬＣＤ１０５に出力し、表示部１０に横方向に表示させるよう制御する。
【００５４】
また、ステップＳ１０３で設定スイッチ１１が押された場合（Ｓ１０３で「設定スイッチ」）、または表示スイッチ１２が押された場合（Ｓ１０３で「表示スイッチ」）もまた、ＣＰＵ１０１はメモリ１０６に格納されている設定画面情報または測定結果情報を読出してＬＣＤ１０５に出力し、表示部１０に横方向に表示させるよう制御する。
【００５５】
一方、ステップＳ１０３で測定スイッチ１７が押された場合（Ｓ１０３で「測定スイッチ」）、ステップＳ１０５でＣＰＵ１０１はメモリ１０６から測定ガイド情報を読出してＬＣＤ１０５に出力し、表示部１０に縦方向に表示させるよう制御する。また、その後、ステップＳ１０９で測定結果を表示する際にも、同様に、表示部１０に縦方向に表示させるよう制御する。
【００５６】
なお、変形例における表示方向の制御方法は、上述の制御方法と同様であるため、ここでの説明は繰返さない。
【００５７】
変形例における心電計１でこのような処理がなされることで、測定時には測定姿勢に応じて表示部１０に縦方向に測定ガイドや測定結果が表示され、それ以外の使用時には表示部１０に横方向にその際の情報が表示される。このようにすることで、測定時およびそれ以外の使用時に、その使用の際の心電計１の方向に応じた表示が実行される。すなわち、測定時には、図５または図９に示される測定姿勢で心電計１を用いて測定するために、その姿勢で見やすい方向に測定ガイドや測定結果が表示される。また、測定時以外の使用時には、心電計１の長手方向を横方向とする用い方の可能性が高いため、その方向で心電計１を用いた際に見やすい方向に操作ガイドや以前の測定結果などが表示される。
【００５８】
なお、言うまでもなく、変形例においても心電計１の表示部１０における表示の方向は、９０度刻みの方向に可変であることに限定されず、任意の角度に可変であることがより好ましい。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】心電計１の正面図である。
【図２】心電計１の上面図である。
【図３】心電計１の左側面図である。
【図４】心電計１の右側面図である。
【図５】測定姿勢の一例を示す図である。
【図６】心電計１の機能構成を示すブロック図である。
【図７】心電計１における処理を示すフローチャートである。
【図８】第Ｉ誘導での測定姿勢を示す図である。
【図９】第ＩＩ誘導での測定姿勢を示す図である。
【図１０】表示部１０における測定結果表示の方向（横方向）の具体例を示す図である。
【図１１】表示部１０における測定結果表示の方向（縦方向）の具体例を示す図である。
【図１２】心電計１における表示処理を示すフローチャートである。
【図１３】表示部１０における測定ガイド表示の方向（横方向）の具体例を示す図である。
【図１４】表示部１０における測定ガイド表示の方向（縦方向）の具体例を示す図である。
【図１５】表示部１０における測定結果表示の方向の具体例を示す図である。
【図１６】表示部１０における測定結果表示の方向の具体例を示す図である。
【符号の説明】
１  心電計、１０  表示部、１１  設定スイッチ、１２  表示スイッチ、１３スクロールスイッチ、１４  負電極、１５  突起、１６  正電極、１７  測定スイッチ、１８  電源スイッチ、１９  中性電極、１０１  ＣＰＵ、１０２負電極部、１０３  ＡＭＰ、１０４  操作入力部、１０５  ＬＣＤ、１０６  メモリ、１０７  通信Ｉ／Ｆ、１０８  電源部、１０９  タイマ。
【図１】
2005000468.tif 000003
【図２】
2005000468.tif 000004
【図３】
2005000468.tif 000005
【図４】
2005000468.tif 000006
【図５】
2005000468.tif 000007
【図６】
2005000468.tif 000008
【図７】
2005000468.tif 000009
【図８】
2005000468.tif 000010
【図９】
2005000468.tif 000011
【図１０】
2005000468.tif 000012
【図１１】
2005000468.tif 000013
【図１２】
2005000468.tif 000014
【図１３】
2005000468.tif 000015
【図１４】
2005000468.tif 000016
【図１５】
2005000468.tif 000017
【図１６】
2005000468.tif 000018